(57)【要約】【課題】  御守りに防犯の機能を付加することにより、暗い夜道や通学路等の危険から身の安全が守られるように祈願された防犯ブザー付きの御守りを提供することを目的とする。【解決手段】  御守り１と警報音を発する防犯具２とを組み合わせて構成され、前記防犯具２は、電池３と発音部４および前記電池３から供給される電力により前記発音部４を作動させるスイッチ５とを備える。【選択図】      図１
0003106097.tif 000002
【実用新案登録請求の範囲】
【請求項１】
御守り１と警報音を発する防犯具２とを組み合わせて構成されることを特徴とする防犯ブザー付き御守り。
【請求項２】
前記御守り１と前記防犯具２とは別体で構成され、それぞれが結束具７により係止されることを特徴とする請求項１記載の防犯ブザー付き御守り。
【請求項３】
前記防犯具２は、電池３と発音部４および前記電池３から供給される電力により前記発音部４を作動させるスイッチ５とを備えることを特徴とする請求項１記載の防犯ブザー付き御守り。
【請求項４】
前記スイッチ５は、ピンロック５１と係止具５２とから構成されることを特徴とする請求項３記載の防犯ブザー付き御守り。
【請求項５】
前記係止具５２には、ストラップ８が緊結されることを特徴とする請求項４記載の防犯ブザー付き御守り。
【請求項６】
前記防犯具２の一側面に御守り表示部９を備えることを特徴とする請求項１記載の防犯ブザー付き御守り。
【請求項７】
前記御守り表示部９に前記御守り１が印刷されることを特徴とする請求項６記載の防犯ブザー付き御守り。
【請求項８】
前記御守り表示部９に前記御守り１が貼着されることを特徴とする請求項６記載の防犯ブザー付き御守り。
【請求項９】
前記御守り表示部９に窓部９１を備え、この窓部９１に前記御守り１が収納されることを特徴とする請求項６記載の防犯ブザー付き御守り。
【考案の詳細な説明】
【技術分野】
【０００１】
この考案は、御守りに警報音を発する防犯機能を付加した御守りに関する。詳しくは、痴漢や暴漢等に襲われたりした非常時に警報音を発し、緊急事態を報知するブザー等の防犯具を御守りに付加したもので、暗い夜道や通学路等の危険から身の安全が守られるように祈願された防犯ブザー付きの御守りに関する。
【背景技術】
【０００２】
昨今、甚だ物騒な世の中になり、地域によっては小学生に笛や防犯ブザーを持たせたり、あるいは女性やお年寄りが防犯護身用の防犯ブザーを携帯している。現実に、下校途中の小学生の女の子が男に連れ去られそうになり、一緒にいた同級生が持っていた防犯ブザーを鳴らしたため男は逃げたという事件が報道され、防犯ブザーの効果が改めて認識された。
【０００３】
上記した一般の携帯用防犯ブザーは、電池とブザーとスイッチの機能を備え、非常時においてスイッチをオンすると、電池から供給される電力によりブザーが警報音を発するように構成されている。また、ブザーを使用した防犯装置に関し、先に、電池からの電流により作動する警報音発生手段を内蔵した防犯ブザーの発明が提案されている（特許文献１）。
【０００４】
【特許文献１】特開２００２−１７２０１５号公報
【考案の開示】
【考案が解決しようとする課題】
【０００５】
しかしながら、特許文献１に代表されるように、従来のブザー付き防犯装置は、警報音を発生させるという単に防犯の機能を持つに過ぎない。
【０００６】
一方、社寺において祈願された交通安全、家内安全、学業成就、厄除け等の御守りは、身に着けていると危難を逃れ、あるいは幸福をもたらすという御守りの機能のみを持つものである。
【０００７】
そこで、本考案の防犯ブザー付きの御守りは、痴漢や暴漢等に襲われたりした時に警報を発し、緊急事態を報知する防犯ブザー等の防犯具を御守りに付加したものである。暗い夜道や通学路等の危険から身の安全が守られるように祈願された防犯ブザー付きの御守りであって、御守り本来の使用目的に加えに防犯の機能を付加した防犯ブザー付きの御守りを提供することを目的としている。
【課題を解決するための手段】
【０００８】
上記目的を達成するために、請求項１の考案は、御守り１と警報音を発する防犯具２とを組み合わせて構成されるものである。
【０００９】
また、請求項２の考案は、請求項１の考案の上記特徴に加えて、前記御守り１と前記防犯具２とは別体で構成され、それぞれが結束具７により係止されるものである。
【００１０】
また、請求項３の考案は、請求項１の考案の上記特徴に加えて、前記防犯具２は、電池３と発音部４および前記電池３から供給される電力により前記発音部４を作動させるスイッチ５とを備えるものである。
【００１１】
また、請求項４の考案は、請求項３の考案の上記特徴に加えて、前記スイッチ５は、ピンロック５１と係止具５２とから構成されるものである。
【００１２】
また、請求項５の考案は、請求項４の考案の上記特徴に加えて、前記係止具５２には、ストラップ８が緊結されるものである。
【００１３】
また、請求項６の考案は、請求項１の考案の上記特徴に加えて、前記防犯具２の一側面に御守り表示部９を備えるものである。
【００１４】
また、請求項７の考案は、請求項６の考案の上記特徴に加えて、御守り表示部９に前記御守り１が印刷されるものである。
【００１５】
また、請求項８の考案は、請求項６の考案の上記特徴に加えて、前記御守り表示部９に前記御守り１が貼着されるものである。
【００１６】
また、請求項９の考案は、請求項６の考案の上記特徴に加えて、前記御守り表示部９に窓部９１を備え、この窓部９１に前記御守り１が収納されるものである。
【００１７】
本考案でいう「御守り」とは、身に着けていると危難を逃れ、あるいは幸福をもたらすように、特に社寺において祈願されたものである。交通安全、家内安全、学業成就、厄除け、子授け安産の願い、縁結び等の御守りがある。
【００１８】
また、防犯具の「発音部」とは、電池と発音器とスイッチとを備え、非常時においてスイッチをオンすることにより、電池から供給される電力により警報音を発するように構成されたもので、発音器としてはブザーに限定されず、警報音が大音量で鳴り響くことを目的とする電子式ベル、電子式サイレン等種々の手段を意味する。
【００１９】
また、「スイッチ」とは、上記発音部へ電気を導通させる手段を意味し、ピンロックを引っ張ることにより導通させる引き抜き式に限るものではなく、必要に応じてボタン式スイッチ、スライド式スイッチ、レバー式スイッチ、回転式スイッチ等をも意味する。
【考案の効果】
【００２０】
第１、２あるいは３の考案は、御守りとして暗い夜道や通学路等の危険から身の安全が守られるように祈願されたものであり、神の御加護による安寧な精神状態をいつも保持できる。それに付加して、痴漢や暴漢等に襲われる等の緊急異常事態が発生した時は、スイッチをオンにして警報音を発生し、緊急事態を報知することができる。従って、特に、子供、女性、お年寄りに対しこの警報音が周囲への救助信号となると共に、犯人の逃亡を促すことから大事に至らず事故を未然に防ぐことができる。
【００２１】
また、第４の考案は、ピンロック５１を介してスイッチがオンされ警報音が発するものである。携帯用では、洋服のポケットなどに入れて持ち歩くのが通常であるので、誤って外部から押されてスイッチがオンされ警報音が突然鳴り出す恐れがある。本考案のピンロック５１を引っ張ることによりオンするスイッチの方式は、引き抜き動作なので誤まって外部から押されてスイッチがオンされことが無く好ましい。
【００２２】
また、第５の考案は、ピンロック５１には係止具５２を介してストラップ８が緊結されているので引っ張りが容易である。従って、咄嗟の場合でもストラップ８を引っ張るだけで、１００ｄＢもの警報音が大音量で鳴り響く。即ち、ストラップ８を引くという簡単な操作なので、子供やお年寄りにも安心して持たせることができるものである。
【００２３】
第６、７、８あるいは９の考案は、防犯具２の一側面に御守り表示部９を設け、この表示部に御守り１を描いたり、印刷したり、貼ったりする。あるいは御守り表示部９に窓部９１を設ける。これらのことにより、必要に応じて防犯具２に工夫をこらすことができる。そして、御守り１と防犯具２とを一体化できる。
【考案を実施するための最良の形態】
【００２４】
本考案の実施の形態を、添付図面に示した本考案の実施例に基づいて以下に具体的に説明する。
【実施例】
【００２５】
本考案の実施例について、図１〜４を参照しながら説明する。図１は、防犯ブザー付きの御守りの外観斜視図である。図２は、ブザー付き防犯具の概略を示す断面図である。図３は、同上、電気回路図である。図４は、本考案の他の実施態様の外観斜視図である。
【００２６】
図１に示すように、防犯ブザー付きの御守りは、御守り１と防犯具２とを組み合わせたものである。御守り１は平板状の御守りを透明プラスチックシート製の袋に入れたもので、この袋の上端部に係止具を備える。防犯具２は樹脂製の箱状体からなり、上部に係止具を備える。この防犯具２に結束具７を介して御守り１が係止される。防犯具２の下部はスイッチ５を形成するピンロック５１が貫通し、このピンロック５１の他端部に係止具５２を備える。この係止具５２にストラップ８が緊結される。防犯具２の作用については図２、３を参照しながら詳細を後で説明する。また、防犯具２内部で、スイッチ５の先端部には発音部４を含む電気回路が内蔵される。この電気回路については、図３を参照しながら後で説明する。また、発音部４のブザー１３が警報音を発する機能についても図３において説明する。
【００２７】
警報音の発生手段については、数々の構造のものがある。その一例を説明する。ブザーを設ける防犯具は、図２に示すように、電池３と警報音を発する発音部４と引き抜き式の手動スイッチとしてのスイッチ５とを備え、ケース１０に次のように組み付けられている。箱状体のケース１０の下方にはスイッチ５が配設され、そのピンロック５１はケース１０の底板を貫通している。ケース１０の内部でピンロック５１の上部には発音部４、プリント基板６およびボタン型の電池３が配設され、電池３の両極はスイッチ５とこの端子とを介してプリント基板６に電気的に接続されている。
【００２８】
これらの電気回路を図３に示す。発音部４は、プリント基板６に接続されたブザー１３とその制御装置としての集積回路１２とから構成される。集積回路１２は、スイッチ５がオンした時に所定のリズムまたは音色の信号を出し、他に、これらの信号によりブザー１３を鳴らす駆動トランジスタ１４およびトランス１５が配設される。  
【００２９】
以上のように構成され、次に作用について説明する。
【００３０】
防犯具２は、非常時においては、係止具５２に緊結されたストラップ８を引っ張ることにより、ピンロック５１が手前に引かれ、スイッチ５がオンする。即ち、発音部４のブザー１３の回路が導通して、ブザー１３が警報音を発する。場合によっては、スイッチ５がオンした時に所定のリズムまたは音色の信号をスピーカドライバ（不図示）により増幅し、この増幅信号をスピーカ（不図示）に供給することにより大きな警告音を発生させることができる。
【００３１】
スイッチ５としては、引き抜き式に限るものではなく、必要に応じてボタン式スイッチ、スライド式スイッチ、レバー式スイッチ、回転式スイッチ等を例示することができる。特に携帯用では、洋服のポケットなどに入れて持ち歩くのが通常であるので、誤まって外部からおされスイッチがオンされ警報音が突然鳴り出す恐れがある。従って、スイッチ５としては、外から誤ってスイッチがオンされることのない構造のものが好ましい。
【００３２】
防犯具は使い方が簡単で、いざという時に使えるものでなければならない。なるべく人通りの多い道、明るい道を歩くことが何よりだけれども、もしもの時は防犯ブザーが必要となる。でも、突然危険な目にあったら、誰だってあわてる。そんな時、操作が難しかったら役に立つものも立たない。このようなニーズから、防犯ブザーとしてピンロックを引っ張るだけで、警報音が大音量で鳴り響くものが好ましい。即ち、誰でも覚えられる簡単操作で、子供やお年寄りにも安心して持たせることができるものであることが重要である。
【００３３】
また、バッグ等に防犯具２を装着している時は、スイッチ５のピンロック５１は電気回路の電極の間に割り込んで二分化し、電池２と警報音の発音部４とを遮断する。即ち、ピンロック５１を挿入した状態で携帯し、非常時においてはピンロック５１を引っ張ることによって通電状態に復帰させて警報音を作動させるものである。なお、ピンロック５１には係止具５２を介してストラップ８が緊結されているので引っ張り動作が容易である。
【００３４】
本実施例では、御守り１と防犯具２とを結束具７により組み合わせるが、他に組み合わせる方法も考えられる。図４に示すように、防犯具２の一側面に御守り表示部９を備え、この表示部９に御守り１を描いたり、印刷ないし貼着してもよい。あるいは、表示部９に窓部９１ないし透明のポッケト（不図示）を設け、その中に御守り１を収納するものでもよい。また、別の実施態様では、防犯具２の一側面に蝶番式の台板部（不図示）を備え、この台板部に御守り１を挿入しておく収納部を設ける様にしてもよい。
【産業上の利用可能性】
【００３５】
なお、本考案の御守りは、紙、木、布、樹脂等で作製され、その形状は平板状のものに限るものではなく、文字、図柄をプリントした編織物袋等に収納される立体的なもの、例えば、宝石、マスコット人形、まねき猫等の御守り人形あるいは絵馬、魔よけ数珠の様なものでも勿論よい。
【図面の簡単な説明】
【００３６】
【図１】本考案の防犯ブザー付き御守りの外観斜視図である。
【図２】本考案のブザー付き防犯具の断面図である。
【図３】同上、電気回路図である。
【図４】本考案の他の実施態様の外観斜視図である。
【符号の説明】
【００３７】
１  御守り
２  防犯具
３  電池
４  発音部
５  スイッチ
５１  ピンロック
５２  係止具
６  プリント基板
７  結束具
８  ストラップ
９  御守り表示部
９１  窓部
１０  ケース
１１  電気回路
１２  集積回路
１３  ブザー
１４  トランジスタ
１５  トランス
【図１】
0003106097.tif 000003
【図２】
0003106097.tif 000004
【図３】
0003106097.tif 000005
【図４】
0003106097.tif 000006